(57)【要約】【課題】天井に設けられる取付本体を交換することなく、寸法違いの灯具本体を取り付けることができる照明器具を提供する。【解決手段】天井に取付本体１０を設け、取付本体１０に灯具取付金具４０で灯具本体２０を取り付けた天井用の照明器具１において、点灯装置を収容した点灯装置箱３０を灯具本体２０の天面２３に設け、灯具取付金具４０と、点灯装置箱３０と、を灯具本体２０の天面２３上で移動可能にした。【選択図】図１
2016046152.tif 000002
【特許請求の範囲】
【請求項１】
天井に取付本体を設け、前記取付本体に灯具取付金具で灯具本体を取り付けた天井用の照明器具において、
点灯装置を収容した点灯装置箱を前記灯具本体の天面に設け、
前記灯具取付金具と、前記点灯装置箱と、を前記灯具本体の天面上で移動可能にした
ことを特徴とする照明器具。
【請求項２】
前記灯具取付金具と、前記点灯装置箱と、を前記灯具本体の天面上で互いに独立して移動可能にしたことを特徴とする請求項１に記載の照明器具。
【請求項３】
前記取付本体に、少なくとも２つの前記灯具本体を長手方向に並べて取付可能としたことを特徴とする請求項１または２に記載の照明器具。
【請求項４】
前記灯具本体の天面に、長手方向の一端から他端に亘って溝を形成し、前記灯具取付金具と、前記点灯装置箱と、を固定するねじの頭を前記溝に遊嵌させ前記灯具本体の天面上でスライドさせ移動可能にしたことを特徴とする請求項１から３のいずれかに記載の照明器具。
【発明の詳細な説明】
【技術分野】
【０００１】
本発明は、天井に取り付けて用いられる照明器具に関する。
【背景技術】
【０００２】
従来、天井に規定のボルトピッチでボルト止めされた底面視長尺矩形状のケースに、光源を備える灯具本体と、光源を点灯させる点灯装置を収容した点灯装置箱と、を固定した照明器具が知られている（例えば、特許文献１参照）。
【先行技術文献】
【特許文献】
【０００３】
【特許文献１】特許第５３２０６００号公報
【発明の概要】
【発明が解決しようとする課題】
【０００４】
従来の照明器具では、ケースと、灯具本体と、は互いにサイズを合わせた構成である。このため、例えば光源の高出力化のために、より大形の灯具本体を取り付けるためには、ケースも大形のものに交換する必要があった。しかしながら、このようの照明器具において、ケースを交換することなく寸法違いの灯具本体を取り付けたいという要求があった。
本発明は、上述した事情に鑑みてなされたものであり、天井に設けられるケースを交換することなく、寸法違いの灯具本体を取り付けることができる照明器具を提供することを目的とする。
【課題を解決するための手段】
【０００５】
上述した目的を達成するために、本発明の照明器具は、天井に取付本体を設け、前記取付本体に灯具取付金具で灯具本体を取り付けた天井用の照明器具において、点灯装置を収容した点灯装置箱を前記灯具本体の天面に設け、前記灯具取付金具と、前記点灯装置箱と、を前記灯具本体の天面上で移動可能にしたことを特徴とする。
【０００６】
また、本発明は、上記照明器具において、前記灯具取付金具と、前記点灯装置箱と、を前記灯具本体の天面上で互いに独立して移動可能にしたことを特徴とする。
【０００７】
また、本発明は、上記照明器具において、前記取付本体に、少なくとも２つの前記灯具本体を長手方向に並べて取付可能としたことを特徴とする。
【０００８】
また、本発明は、上記照明器具において、前記灯具本体の天面に、長手方向の一端から他端に亘って溝を形成し、前記灯具取付金具と、前記点灯装置箱と、を固定するねじの頭を、前記溝に遊嵌させ、前記ねじの軸を前記灯具本体の天面上でスライドさせ移動可能にしたことを特徴とする。
【発明の効果】
【０００９】
本発明によれば、天井に取付本体を設け、前記取付本体に灯具取付金具で灯具本体を取り付けた天井用の照明器具において、点灯装置を収容した点灯装置箱を前記灯具本体の天面に設け、前記灯具取付金具と、前記点灯装置箱と、を前記灯具本体の天面上で移動可能にしたため、灯具取付金具と、点灯装置箱と、を取付本体に合わせて適宜の位置に移動させることができ、取付本体を交換することなく、寸法違いの灯具本体を取付本体に取り付けることができる。
【図面の簡単な説明】
【００１０】
【図１】本発明の実施形態の照明器具の分解斜視図である。
【図２】照明器具の断面図である。
【図３】照明器具の天面の構成を示す部分斜視図である。
【図４】寸法違いの灯具本体を備える照明器具の分解斜視図である。
【図５】２つの灯具本体を備える照明器具の分解斜視図である。
【図６】照明器具の構成を示す図であり、（Ａ）は天井に直付けした構成を示し、（Ｂ）は天井吊下形の構成を示し、（Ｃ）は３つの灯具本体を備える構成を示し、（Ｄ）は高出力の器具と低出力の器具とを組み合わせた構成を示す。
【発明を実施するための形態】
【００１１】
以下、図面を参照して本発明の実施形態について説明する。
図１は、実施形態の照明器具１を示す分解斜視図であり、図２は照明器具１の断面図であり、図３は灯具本体２０の天面２３の構成を示す部分斜視図である。なお、本実施形態における器具の上下は、光源からの光が放射される方向を下として定義している。
照明器具１は、天井に取り付けられて用いられる天井照明である。照明器具１は、取付本体１０（ケース）と、灯具本体２０と、点灯装置箱３０と、を備えている。
【００１２】
取付本体１０は、底面視長尺矩形状の箱型に形成され、下面全面が開放している。取付本体１０の上面１１には、取付本体１０を天井に取り付けるための取付ボルト１２が固定される。取付ボルト１２は、取付本体１０の長手方向中央について対称位置に所定の間隔（例えば、６００ｍｍまたは８００ｍｍ）で設けられる。照明器具１は、取付ボルト１２として吊りボルトを用いて、取付本体１０を天井から吊り下げて使用される。また、取付本体１０の上面１１には、取付本体１０の内側に電線４を引き込むための引き込み孔１３が設けられる。引き込み孔１３は、取付本体１０の長手方向略中央に設けられる。
【００１３】
灯具本体２０は、底面２１に光源を備える。底面２１には、光源から放射される光を拡散させる照明カバー２２が取り付けられる。照明カバー２２は、例えば乳白色のカバーであり、樹脂材やガラス等で形成される。照明カバー２２は、取付ブラケット２７により灯具本体２０の底面２１にねじ止めされる（図２参照）。取付ブラケット２７は、少なくとも、照明カバー２２の長手方向の両端部に設けられる。また、照明カバー２２は、灯具本体２０の底面２１を液密に封止する構成であってもよい。つまり、照明器具１は、照明カバー２２により、灯具本体２０の防水性が保たれるように、照明カバー２２を、図示は省略するが、灯具本体２０の底面２１との間に防水パッキンを介在させて灯具本体２０に取り付けても良い。
【００１４】
点灯装置箱３０は、灯具本体２０の天面２３に設けられる。点灯装置箱３０には、灯具本体２０が備える光源を点灯させる点灯装置が収容される。点灯装置箱３０に収容される点灯装置は、灯具本体２０が備える光源がＬＥＤや有機ＥＬ等の発光素子の場合には電源基板等の制御基板から構成される。灯具本体２０が備える光源が蛍光灯の場合には、点灯装置箱３０には、電流を制御するとともに、始動電圧及び予熱電圧を供給する安定器が点灯装置として収容される。また、点灯装置箱３０には、取付本体１０の引き込み孔１３から引き込まれた電線４が接続される。
【００１５】
点灯装置箱３０は、灯具本体２０の天面２３にねじ止めされる。点灯装置箱３０は、底面３１が、長手方向の両端面３２から延出し、この延出した延出部により取付体３３が形成される。各取付体３３には、灯具本体２０の天面２３から略垂直に延びるねじ２４のねじ山が切られた軸２４Ｂを受ける取付孔３５が少なくとも１つ設けられる。点灯装置箱３０は、この取付孔３５に挿通されたねじ２４の軸２４Ｂに固定ナット３４を締めこんで、灯具本体２０の天面２３上に固定される。
【００１６】
灯具本体２０の天面２３からは、点灯装置箱３０を固定する少なくとも２つのねじ２４の軸２４Ｂが突出すると共に、灯具本体２０を取付本体１０に固定するための灯具取付金具４０を固定する４つのねじ２４の軸２４Ｂが突出する。灯具取付金具４０は、灯具本体２０の天面２３に当接する当接面４２と、当接面４２に立設され取付本体１０の両側面１５に対向する立設面４３と、当接面４２及び両立設面４３に連設された連設面４４と、を備える。立設面４３は、灯具本体２０を取付本体１０に固定した際に、取付本体１０の両側面１５に内接する構成であっても良いし、若干の隙間を持って両側面１５に対向する構成であっても良い。
当接面４２には、灯具本体２０の天面２３から突出するねじ２４の軸２４Ｂを受ける受孔４５が灯具本体２０の短手方向に所定の距離離して２つ設けられる。灯具取付金具４０は、受孔４５に挿通されたねじ２４の軸２４Ｂに金具固定ナット４１を締めこんで、灯具本体２０の天面２３上に固定される。
【００１７】
灯具本体２０は、天面２３に固定された灯具取付金具４０の両立設面４３に設けられたねじ孔４６と、取付本体１０の両側面１５に設けられたねじ孔１７（図５参照）とにねじ１４を締めこんで共締めすることで、取付本体１０に固定される。また、灯具本体２０を、灯具取付金具４０の連設面４４に設けられたねじ孔４７と、取付本体１０の長手方向の両端面１６に設けられたねじ孔１８とにねじ１４を締めこんで共締めすることで、取付本体１０に固定してもよい。このように、灯具本体２０は、天面２３に点灯装置箱３０と、灯具取付金具４０とを固定した状態で、取付本体１０に取り付けられる。
【００１８】
灯具本体２０の天面２３には、図２及び図３に示すように、点灯装置箱３０及び灯具取付金具４０を固定するためのねじ２４の頭２４Ａが遊嵌される溝２５が設けられている。溝２５は、断面視逆Ｔ字状の溝である。また、溝２５は、灯具本体２０の短手方向に所定の距離離して２本設けられる。また、溝２５は、灯具本体２０の長手方向の一端２９Ａから他端２９Ｂに亘って形成される。灯具本体２０は、アルミニウム合金などの高熱伝導性を有する金属材からなる板材から形成され、押出成型により溝２５が一体に形成される。また、灯具本体２０の天面２３には、溝２５、２５の間に、取付本体１０の内側に引き込んだ電線４を配線する配線溝２６が設けられる。配線溝２６も、溝２５と同様に、押出成型により灯具本体２０に一体に形成される。
【００１９】
図２は、照明器具１が、発光素子の一例たるＬＥＤを光源として備えた構成を示している。照明器具１は、ＬＥＤモジュール５０と、モジュール基板５１と、を備える。ＬＥＤモジュール５０は、いわゆるＣＯＢ型ＬＥＤであり、多数のＬＥＤがＬＥＤ基板上に密集配置されて、平面視矩形（円形でも良い）の面状の発光部を備える。なお、ＣＯＢ型ＬＥＤを用いる構成の他に、複数のレンズ付きＬＥＤを基板上に並べたＬＥＤモジュール及び、ＳＭＤ型ＬＥＤをＬＥＤ基板中央部に多数配置した単体及び複数のＬＥＤモジュールを連結し、光源として用いても良い。モジュール基板５１は、複数のＬＥＤモジュール５０を実装する長尺矩形板状の基板である。モジュール基板５１は、例えば、セラミック材等の電気絶縁性及び高熱伝導性を有する材料で形成される。モジュール基板５１には、表面に複数のＬＥＤモジュール５０が実装され、裏面が灯具本体２０の底面２１に固定される。モジュール基板５１は、裏面が灯具本体２０の底面２１に接着されて灯具本体２０に固定される構成であっても良い。また、モジュール基板５１は、灯具本体２０の底面２１と、照明カバー２２との間に挟持されて、灯具本体２０に固定される構成であっても良い。これらの構成によれば、モジュール基板５１により、ＬＥＤモジュール５０と、灯具本体２０との電気絶縁耐圧を得られ、かつ、ＬＥＤモジュール５０の熱をモジュール基板５１の裏面から灯具本体２０に伝熱させて放熱させることができる。
【００２０】
また、灯具本体２０の天面２３に溝２５及び配線溝２６を形成したため、これらの溝２５及び配線溝２６が放熱フィンの役割を果たし、より効率的にＬＥＤモジュール５０の熱を灯具本体２０により放熱させることができる。また、灯具本体２０の天面２３に溝２５及び配線溝２６を設けることで、点灯装置箱３０の底面３１と、天面２３との接触面積を少なくすることができ、ＬＥＤモジュール５０の熱が点灯装置箱３０に過剰に伝熱されるのを防ぐことができる。
【００２１】
図３に示すように、溝２５，２５には、灯具本体２０の一端２９Ａまたは他端２９Ｂからねじ２４の頭２４Ａが、嵌め込まれる。ねじ２４の頭２４Ａは、溝２５，２５に遊びを持った状態で嵌め込まれる。つまり、ねじ２４は、ねじ２４の頭２４Ａを溝２５，２５に嵌めた状態で、溝２５，２５に沿ってスライドし移動可能に構成され、ねじ２４のねじ山が切られた軸２４Ｂを、溝２５の任意の位置に移動させることができる。各溝２５には、少なくとも３つのねじ２４が設けられ、これらのねじ２４がそれぞれ独立して溝２５に沿ってスライドし移動可能に構成されている。なお、ねじ２４には、角根丸頭ねじを好適に用いることができる。ねじ２４に角根丸頭ねじを用いることで、ねじ２４の首に設けられた四角い部分が溝２５の係止部２８間に配置され、ねじ２４の回転が規制される。これにより、ねじ２４に金具固定ナット４１或いは固定ナット３４を締めこむ際にねじ２４が回転するのを防止することができる。
【００２２】
配線溝２６は、溝の底部に、電線４が嵌め込まれる側溝２６Ａを備えている。また、配線溝２６には、側溝２６Ａに嵌め込まれた電線４が側溝２６Ａから外れないように止める電線止め２６Ｂが設けられる。電線止め２６Ｂは、側溝２６Ａの入口近傍を上下方向から配線溝２６の内側に凸上に突出させて形成されている。
ねじ２４を溝２５に沿って移動させることで、灯具取付金具４０及び点灯装置箱３０は、それぞれ灯具本体２０の天面２３上の任意の位置に固定することができる。点灯装置箱３０を灯具本体２０の天面２３上で移動可能とするために、取付本体１０の内側には、電線４が長さに余裕を持たせて引き込まれる。取付本体１０の内側で余剰となった電線４は、配線溝２６の側溝２６Ａに嵌め込んで置くことができる。
【００２３】
ねじ２４に、固定ナット３４または金具固定ナット４１をねじ込んでいくと、ねじ２４の頭２４Ａと、固定ナット３４または金具固定ナット４１との間で、溝２５の係止部２８（図２参照）を挟持した状態となり、ねじ２５が溝２５に対して固定される。なお、固定ナット３４または金具固定ナット４１をねじ２４のねじ山に対して緩める方向に回すことで、ねじ２４の頭２４Ａは、溝２５の係止部２８から離れる。これにより、固定ナット３４または金具固定ナット４１を完全にねじ２４から取り外すことなく、緩めた状態で、ねじ２４を溝２５に沿って移動可能とすることができる。よって、固定ナット３４または金具固定ナット４１を適宜に緩めることで、灯具取付金具４０及び点灯装置箱３０を、それぞれ灯具本体２０の天面２３上で互いに独立して適宜の位置に移動させることができる。
【００２４】
点灯装置箱３０を灯具本体２０の天面２３上に移動可能に固定する少なくとも２つのねじ２４は、灯具本体２０の短手方向に並べて設けられた２つの溝２５のそれぞれに１つずつ嵌め込まれている（図１参照）。点灯装置箱３０は、一端側の取付体３３Ａが、一方の溝２５Ａに嵌め込まれたねじ２４で灯具本体２０の天面２３上に固定され、他端側の取付体３３Ｂが、他方の溝２５Ｂに嵌め込まれたねじ２４で灯具本体２０の天面２３上に固定される。このように、点灯装置箱３０は、一端側の取付体３３Ａと、他端側の取付体３３Ｂと、をそれぞれ一箇所ずつ灯具本体２０の天面２３上に固定することで、天面２３上で移動させる際に緩めるねじ２４の本数を少なくすることができ、作業性の効率化を図ることができる。また、一端側の取付体３３Ａを一方の溝２５Ａに嵌め込まれたねじ２４で、他端側の取付体３３Ｂを他方の溝２５Ｂに嵌め込まれたねじ２４で、それぞれ固定する構成としたため、２本のねじ２４でも点灯装置箱３０を安定して固定することができる。
【００２５】
次に、照明器具１の取付手順を説明する。
まず、予め、取付本体１０を取付ボルト１２により天井に固定する。次に、底面２１にＬＥＤモジュール５０及びモジュール基板５１と、照明カバー２２とが取り付けられた灯具本体２０の天面２３に灯具取付金具４０及び点灯装置箱３０をそれぞれ移動可能に取り付ける。続いて、灯具取付金具４０及び点灯装置箱３０を取付本体１０に対応させて、それぞれ適宜の位置に天面２３上で移動させて固定する。そして、取付本体１０の引き込み孔１３から引き込んだ電線４を点灯装置箱３０に接続するとともに、余剰な電線４を配線溝２６に嵌め込んで配線する。最後に、灯具取付金具４０を取付本体１０にねじ１４（必要に応じてねじ１７）でねじ止めして固定する。
【００２６】
このように、照明器具１は、灯具取付金具４０及び点灯装置箱３０を、それぞれ灯具本体２０の天面２３上で互いに独立して移動させることができる。これにより、例えば、図４に示した照明器具１Ａのように、長手方向の寸法が、取付本体１０よりも長い灯具本体２０を取付本体１０に固定することが可能となる。図４に示した照明器具１Ａでは、一方の灯具取付金具４０を灯具本体２０の一端２９Ａ近傍に固定するとともに、他方の灯具取付金具４０を取付本体１０の寸法に合わせた位置に固定する。そして、灯具本体２０を取付本体１０にねじ１４により、取付本体１０の長手方向の両端部から固定する。このとき、点灯装置箱３０の配置位置は、灯具本体２０の重心位置を、取付本体１０の取付ボルト１２の位置に応じて調整してもよいし、引き込み孔１３の位置に対応させて調整してもよい。また、図示は省略するが、灯具本体２３の天面２３には、溝２５に沿ってねじ位置合わせ用の目盛りが適宜に付けられていても良い。
このように、灯具取付金具４０及び点灯装置箱３０をそれぞれ適宜の位置に移動させることで、灯具本体２０と、取付本体１０との寸法が合っていない場合でも、灯具本体２０を取付本体１０に固定することができる。よって、例えば光源の高出力化のために、より大型な灯具本体２０を取り付けたい場合でも、取付本体１０を交換する必要がなく、既存の取付本体１０に、所望の大きさの灯具本体２０を容易に取り付けることができる。
【００２７】
ところで、灯具本体２０は、長手方向の長さを長くして、より多くのＬＥＤモジュール５０を実装させることで高出力化を図ることができる。しかしながら、灯具本体２０の長さが長くなると、その分取り扱い性が悪くなるという問題がある。このため、灯具本体２０の長さを長くすることなく、照明器具１の高出力化を図りたいという要望がある。この要望に応えるべく、図５に示した照明器具１Ｂのように、１つの取付本体１０に、２つの灯具本体２０を取り付ける構成とすることができる。
【００２８】
図５に示した照明器具１Ｂでは、１つの取付本体１０に、２つの灯具本体２０が長さ方向に２つ並べて取り付けられる。なお、各灯具本体２０は、取付本体１０の寸法に合わせて形成された灯具本体であっても良いし、取付本体１０とは寸法違いの灯具本体であっても良い。また、各灯具本体２０が同一寸法のものであっても、互いに異なる寸法のものであってもよい。
【００２９】
各灯具本体２０は、取付本体１０の引き込み孔１３から引き込まれた電線４が点灯装置箱３０に接続される接続部３６が器具中心を向くように、互いの端面を突き合わせて配置される。接続部３６は、点灯装置箱３０内に収容された点灯装置に接続される電線４が引き込まれる孔であってもよいし、或いは、点灯装置から延びる電線に電線４を接続するためのソケットであってもよい。点灯装置箱３０を、接続部３６が、灯具本体２０の他端２９Ｂ側を向くように、天面２３上に固定した場合、灯具本体２０は、図５に示すように、互いの他端２９Ｂ同士を突き合わせて取付本体１０に取り付けられる。
【００３０】
次に、２つの灯具本体２０を、互いの他端２９Ｂ同士を突き合わせて取付本体１０に取り付ける場合の取り付け構成について説明する。各灯具本体２０は、点灯装置箱３０を挟んで設けられた一対の灯具取付金具４０を備える。灯具本体２０は、取付本体１０の長手方向略中央で、互いの他端２９Ｂ同士が突き合わされるように配置される。灯具本体２０の一端２９Ａ側に配置された一方の灯具取付金具４０は、それぞれ取付本体１０の端面１６に内接する位置で、天面２３上に固定される。灯具本体２０の他端２９Ｂ側に配置された他方の灯具取付金具４０は、灯具本体２０の他端２９Ｂの近傍で、天面２３に固定される。一方の灯具取付金具４０は、それぞれ、取付本体１０の両端面１６から、連設面４４に設けられたねじ孔４７にねじ込まれるねじ１４により取付本体１０に固定される。他方の灯具取付金具４０は、取付本体１０の両側面１５から、立設面４３に設けられたねじ孔４６にねじ込まれるねじ１７により取付本体１０に固定される。
【００３１】
このように、１つの取付本体１０に、少なくとも２つの灯具本体２０を取付可能とすることができるため、各灯具本体２０を長手方向に長い１つの灯具本体の構成とすることなく、照明器具１Ｂの高出力化を図ることができる。よって、灯具本体２０の取り扱い性を向上することができる。
【００３２】
以上説明したように、本発明を適用した実施形態によれば、天井に取付本体１０を設け、取付本体１０に灯具取付金具４０で灯具本体２０を取り付けた天井用の照明器具１において、点灯装置を収容した点灯装置箱３０を灯具本体２０の天面２３に設け、灯具取付金具４０と、点灯装置箱３０と、を灯具本体２０の天面２３上で移動可能にしたことを特徴とする。この構成によれば、灯具取付金具４０と、点灯装置箱３０と、を灯具本体２０の天面２３上で取付本体１０に合わせて適宜の位置に移動させることができる。よって、予め天井に固定されている取付本体１０を交換することなく、取付本体１０とは寸法違いの灯具本体２０を取付本体１０に取り付けることができる。よって、灯具本体２０を例えば高出力化のために、より大型なものに容易に交換することができる。
【００３３】
また、本発明を適用した実施形態によれば、灯具取付金具４０と、点灯装置箱３０と、を灯具本体２０の天面２３上で互いに独立して移動可能にしたことを特徴とする。この構成によれば、取付本体１０の構成に合わせて、灯具取付金具４０と、点灯装置箱３０と、をそれぞれ独立して適宜の位置に移動させることができる。よって、点灯装置箱３０と、取付本体１０の引き込み孔１３との位置関係や、灯具本体２０の重心位置、取付本体１０の取付ボルト１２の位置関係等を考慮して、最適な位置に灯具取付金具４０と、点灯装置箱３０と、をそれぞれ配置することができる。
【００３４】
また、本発明を適用した実施形態によれば、取付本体１０に、少なくとも２つの灯具本体２０を長手方向に並べて取付可能としたことを特徴とする。この構成によれば、灯具本体２０の長さを長くすることなく、取付本体１０に複数の灯具本体２０を取り付けることで、照明器具１の高出力化を図ることができる。よって、灯具本体２０の長さを長くすると、施工時において灯具本体２０の取り扱い性が悪くなるが、本実施形態では、灯具本体２０の取り扱い性を悪くすることなく、照明器具１の高出力化を容易に図ることができる。
【００３５】
また、本発明を適用した実施形態によれば、灯具本体２０の天面２３に、長手方向の一端２９Ａから他端２９Ｂに亘って溝２５を形成し、灯具取付金具４０と、点灯装置箱３０と、を固定するねじ２４の頭２４Ａを、溝２５に遊嵌させ、ねじ２４のねじ山が切られた軸２４Ｂを灯具本体２０の天面２３上でスライドさせ移動可能にしたことを特徴とする。この構成によれば、簡単な構成で、灯具取付金具４０と、点灯装置箱３０と、灯具本体２０の天面２３上で無段階的に移動可能な構成とすることができる。また、ねじを緩めることで簡単に灯具取付金具４０と、点灯装置箱３０と、適宜の位置に移動させることができ、施工時において組立て作業性を向上することができる。
【００３６】
なお、上述した実施形態は、あくまでも本発明の一態様を例示したものであって、本発明の趣旨を逸脱しない範囲で任意に変形、及び応用が可能である。例えば、本実施形態では、灯具本体２０の天面２３に溝２５を設けて、ねじ２４を溝２５に沿って移動させることで、灯具取付金具４０、及び、点灯装置箱３０を無段階的に互いに独立して移動可能とした。これに限らず、灯具本体２０の天面２３に、長手方向に沿って複数の固定部を設けて、灯具取付金具４０、及び、点灯装置箱３０を任意の固定部に固定部に固定することで段階的に移動可能とする構成であっても良い。固定部は、天面２３に形成された穴や溝であっても良いし、天面２３に取り付けられたブラケット等であっても良い。
【００３７】
また、上述した実施形態では、取付本体１０を取付ボルト１２で図６（Ａ）に示したように天井７０に直付けする構成について示したが、これに限らず、例えば図６（Ｂ）に示したように、パイプ吊具６０を用いて取付本体１０を天井７０に吊り下げて使用する天井吊下形の構成としても良い。
また、上述した実施形態では、２つの灯具本体２０を、取付本体１０に取り付ける構成について示したが、これに限らず、例えば図６（Ｃ）に示したように、３つの灯具本体２０を、取付本体１０に取り付ける構成としても良い。
また、灯具本体２０は標準的な長さの定格出力の器具の組み合せ以外に長さを長くした高出力の器具や長さの短い低出力の器具と組み合せて（図６（Ｄ）参照）構成しても良い。その際、取付本体１０の長さは、併設する灯具本体２０の長さや点灯装置箱３０の長さや配置に合わせて所要の長さで構成しても良い。
【符号の説明】
【００３８】
１、１Ａ、１Ｂ  照明器具
１０  取付本体
２０  灯具本体
２３  天面
２４Ａ  頭
２４Ｂ  軸
２５  溝
２９Ａ  一端
２９Ｂ  他端
３０  点灯装置箱
４０  灯具取付金具
【図１】
2016046152.tif 000003
【図２】
2016046152.tif 000004
【図３】
2016046152.tif 000005
【図４】
2016046152.tif 000006
【図５】
2016046152.tif 000007
【図６】
2016046152.tif 000008